【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
移動局におけるロケーション決定のための方法であって、前記方法は、
ベニューをサービスするサーバに１つまたは複数の要求メッセージを送信することと、前記１つまたは複数の要求メッセージが測位支援データを要求する、
前記サーバから、１つまたは複数の応答メッセージを受信することと、前記１つまたは複数の応答メッセージは、少なくとも１つのロケーションベースサービスに関係する前記ベニューの屋内測位能力の指示を備える、
前記べニューの前記能力の前記指示に少なくとも部分的に基づいて、複数のパフォーマンスレベルのうちの１つに対応する前記移動局上にホストされた複数の測位アプリケーションのうちの１つの測位アプリケーションを選択することと、前記屋内測位能力の前記指示は、前記測位支援データまたは測位情報の利用可能性を識別する、を備える、方法。
【請求項２】
前記１つまたは複数の応答メッセージ中の前記屋内測位能力の前記指示が、前記１つまたは複数の要求メッセージに応答して前記移動局に与えられた前記測位支援データのヘッダ中にフラグを備える、請求項１に記載の方法。
【請求項３】
前記屋内測位能力の前記指示が、
前記移動局における測位動作を使用可能にするかまたはサポートするための前記ベニューのマップ情報のみの利用可能性および測位支援データの利用不可能性、
前記移動局における測位動作を使用可能にするかまたはサポートするための前記ベニューのマップ情報および関連するルーティング情報の利用可能性ならびに測位支援データの利用不可能性、
大きい中央誤差を用いたシングルポイント位置フィックス能力を使用可能にするかまたはサポートするための、測位支援データの利用可能性、
クラウドソーシングされたアクセスポイント（ＡＰ）ロケーションに少なくとも部分的に基づいて、前記移動局における測位能力を使用可能にするかまたはサポートするための測位支援データの利用可能性、
前記移動局における追跡能力を用いた測位を使用可能にするかまたはサポートするための測位支援データの利用可能性、
前記移動局におけるチェックイン能力を用いた測位を使用可能にするかまたはサポートするための測位支援データの利用可能性、またはそれらの任意の組合せ、
のうちの少なくとも１つを示す、請求項１に記載の方法。
【請求項４】
複数のパフォーマンスレベルのうちの１つを選択することは、前記サーバからの前記測位支援データがチェックイン能力をサポートするかまたは使用可能にすることを前記指示が示す場合、チェックイン機能を選択的に使用可能にすること、をさらに備える、請求項１に記載の方法。
【請求項５】
前記複数のパフォーマンスレベルのいずれかが前記移動局中の電子ハードウェアの動作を少なくとも部分的に決定する、請求項１に記載の方法。
【請求項６】
前記サーバの前記屋内測位能力の更新された指示を受信することと、
前記屋内測位能力の前記更新された指示を前記受信することに応答して前記パフォーマンスレベルのうちの別の１つを有する前記複数の測位アプリケーションのうちの別の測位アプリケーションを再選択することと、をさらに備える、請求項１に記載の方法。
【請求項７】
前記要求された測位支援データが前記ベニューのマップを備える、請求項１に記載の方法。
【請求項８】
前記ベニューの前記屋内測位能力の更新された指示について前記サーバに問い合わせることをさらに備える、請求項１に記載の方法。
【請求項９】
前記ベニューの前記屋内測位能力の前記指示に応答してインジケータを表示することをさらに備える、請求項１に記載の方法。
【請求項１０】
前記要求された測位支援データが、前記ベニューの少なくとも一部分のデジタルマップ、前記ベニュー中の１つまたは複数のアクセスポイントのロケーション、および／または前記ベニューについてのヒートマップデータを備える、請求項１に記載の方法。
【請求項１１】
前記要求された測位支援データが屋内測位支援データを備える、請求項１に記載の方法。
【請求項１２】
前記選択されたパフォーマンスレベルに少なくとも部分的に基づいて位置フィックスを決定することをさらに備える、請求項１に記載の方法。
【請求項１３】
前記屋内測位能力の前記指示に少なくとも部分的に基づいて位置フィックスを決定することをさらに備える、請求項１に記載の方法。
【請求項１４】
移動局であって、
通信ネットワークにメッセージを送信し、前記通信ネットワークからメッセージを受信するためのトランシーバと、
前記トランシーバを介したベニューをサービスするサーバへの１つまたは複数の要求メッセージの送信を開始することと、前記１つまたは複数の要求メッセージが測位支援データを要求する、
前記トランシーバにおいて前記サーバから受信された１つまたは複数の応答メッセージを取得することと、前記１つまたは複数の応答メッセージが、少なくとも１つのロケーションベースサービスに関係する前記ベニューの屋内測位能力の指示を備える、
前記べニューの前記屋内測位能力の前記指示に少なくとも部分的に基づいて、複数のパフォーマンスレベルのうちの１つに対応する前記移動局上にホストされた複数の測位アプリケーションのうちの１つの測位アプリケーションを選択することと、前記屋内測位能力の前記指示は、前記測位支援データまたは測位情報の利用可能性を識別する、を行う１つまたは複数のプロセッサと、
を備える移動局。
【請求項１５】
前記屋内測位能力の前記指示が、
前記移動局における測位動作を使用可能にするかまたはサポートするための前記ベニューのマップ情報のみの利用可能性および測位支援データの利用不可能性、
前記移動局における測位動作を使用可能にするかまたはサポートするための前記ベニューのマップ情報および関連するルーティング情報の利用可能性ならびに測位支援データの利用不可能性、
大きい中央誤差を用いたシングルポイント位置フィックス能力を使用可能にするかまたはサポートするための測位支援データの利用可能性、
クラウドソーシングされたアクセスポイント（ＡＰ）ロケーションに少なくとも部分的に基づいて、前記移動局における測位能力を使用可能にするかまたはサポートするための測位支援データの利用可能性、
前記移動局における追跡能力を用いた測位を使用可能にするかまたはサポートするための測位支援データの利用可能性、
前記移動局におけるチェックイン能力を用いた測位を使用可能にするかまたはサポートするための測位支援データの利用可能性、またはそれらの任意の組合せ、
のうちの少なくとも１つを示す、請求項１４に記載の移動局。
【請求項１６】
前記１つまたは複数のプロセッサが、
前記サーバから前記サーバの前記屋内測位能力の更新された指示を取得することと、
前記屋内測位能力の前記更新された指示を前記受信することに応答して前記パフォーマンスレベルのうちの別の１つを有する前記複数の測位アプリケーションのうちの別の測位アプリケーションを再選択することと、をさらに行うべきである、請求項１４に記載の移動局。
【請求項１７】
ディスプレイデバイスをさらに備え、ここにおいて、前記１つまたは複数プロセッサが、さらに、前記ベニューの前記屋内測位能力の前記指示に応答して前記ディスプレイデバイス上でのインジケータのプレゼンテーションを開始すべきである、請求項１４に記載の移動局。
【請求項１８】
ベニューをサービスするサーバへの１つまたは複数の要求メッセージの送信を開始することと、前記１つまたは複数の要求メッセージが測位支援データを要求する、
前記サーバから受信された１つまたは複数の応答メッセージを取得することと、前記１つまたは複数の応答メッセージが、少なくとも１つのロケーションベースサービスに関係する、前記ベニューの屋内測位能力の指示を備える、
前記べニューの前記屋内測位能力の前記指示に少なくとも部分的に基づいて、複数のパフォーマンスレベルのうちの１つに対応する前記移動局上にホストされた複数の測位アプリケーションのうちの１つの測位アプリケーションを選択することと、前記屋内測位能力の前記指示は、前記測位支援データまたは測位情報の利用可能性を識別する、を行うように、移動局の１つまたは複数のプロセッサによって実行可能であるその上に記憶された機械可読命令を備える非一時的記憶媒体を備える、物品。
【請求項１９】
前記屋内測位能力の前記指示が、
前記移動局における測位能力を使用可能にするかまたはサポートするための前記ベニューのマップ情報のみの利用可能性および測位支援データの利用不可能性、
前記移動局における測位動作を使用可能にするかまたはサポートするための前記ベニューのマップ情報および関連するルーティング情報の利用可能性ならびに測位支援データの利用不可能性、
大きい中央誤差を用いたシングルポイント位置フィックス能力を使用可能にするかまたはサポートするための測位支援データの利用可能性、
クラウドソーシングされたアクセスポイント（ＡＰ）ロケーションに少なくとも部分的に基づいて、前記移動局における測位能力を使用可能にするかまたはサポートするための測位支援データの利用可能性、
前記移動局における追跡能力を用いた測位を使用可能にするかまたはサポートするための測位支援データの利用可能性、
前記移動局におけるチェックイン能力を用いた測位を使用可能にするかまたはサポートするための測位支援データの利用可能性、またはそれらの任意の組合せ、
のうちの少なくとも１つを示す、請求項１８に記載の物品。
【請求項２０】
前記命令が、
前記サーバから前記サーバの前記屋内測位能力の更新された指示を取得することと、
前記屋内測位能力の前記更新された指示を前記受信することに応答して前記パフォーマンスレベルのうちの別の１つを有する前記複数の測位アプリケーションのうちの別の測位アプリケーションを再選択することと、を行うように前記１つまたは複数のプロセッサによってさらに実行可能である、請求項１８に記載の物品。
【請求項２１】
前記命令が、
前記ベニューの前記屋内測位能力の前記指示に応答してディスプレイデバイス上でインジケータを開始表示するように前記１つまたは複数のプロセッサによってさらに実行可能である、請求項１８に記載の物品。
【請求項２２】
移動局であって、
ベニューをサービスするサーバに１つまたは複数の要求メッセージを送信するための手段と、前記１つまたは複数の要求メッセージが測位支援データを要求する、
前記サーバから、１つまたは複数の応答メッセージを受信するための手段と、前記１つまたは複数の応答メッセージは、少なくとも１つのロケーションベースサービスに関係する前記ベニューの屋内測位能力の指示を備える、
前記べニューの前記屋内測位能力の前記指示に少なくとも部分的に基づいて、複数のパフォーマンスレベルのうちの１つに対応する前記移動局上にホストされた複数の測位アプリケーションの測位アプリケーションを選択するための手段と、前記屋内測位能力の前記指示は、前記測位支援データまたは測位情報の利用可能性を識別する、を備える移動局。
【請求項２３】
前記屋内測位能力の前記指示が、
前記移動局における測位動作を使用可能にするかまたはサポートするための前記ベニューのマップ情報のみの利用可能性および測位支援データの利用不可能性、
前記移動局における測位動作を使用可能にするかまたはサポートするための前記ベニューのマップ情報および関連するルーティング情報の利用可能性ならびに測位支援データの利用不可能性、
大きい中央誤差を用いたシングルポイント位置フィックス能力を使用可能にするかまたはサポートするための測位支援データの利用可能性、
クラウドソーシングされたアクセスポイント（ＡＰ）ロケーションに少なくとも部分的に基づいて、前記移動局における測位能力を使用可能にするかまたはサポートするための測位支援データの利用可能性、
前記移動局における追跡能力を用いた測位を使用可能にするかまたはサポートするための測位支援データの利用可能性、
前記移動局におけるチェックイン能力を用いた測位を使用可能にするかまたはサポートするための測位支援データの利用可能性、またはそれらの任意の組合せ、
のうちの少なくとも１つを示す、請求項２２に記載の装置。
【請求項２４】
前記能力の更新された指示を受信するための手段をさらに備える、請求項２２に記載の装置。
【手続補正２】
【補正対象書類名】明細書
【補正対象項目名】００７４
【補正方法】変更
【補正の内容】
【００７４】
[00081]現在例示的な特徴と考えられることについて例示し説明したが、請求する主題から逸脱することなく、様々な他の変更が行われ得、均等物が代用され得ることが、当業者には理解されよう。さらに、本明細書に記載の中心概念から逸脱することなく、請求する主題の教示に特定の状況を適合させるために多くの変更を行い得る。したがって、請求する主題は、開示された特定の例に限定されず、そのような請求する主題はまた、添付の特許請求の範囲の範囲内に入るすべての態様とそれらの等価物とを含み得るものとする。
以下に、本願出願の当初の特許請求の範囲に記載された発明を付記する。
［Ｃ１］
移動局におけるロケーション決定のための方法であって、前記方法は、
ベニューをサービスするサーバに１つまたは複数の要求メッセージを送信することと、前記１つまたは複数の要求メッセージが測位支援データを要求する、
前記サーバから、少なくとも１つのロケーションベースサービスに関係する前記ベニューの能力の指示を備える１つまたは複数の応答メッセージを受信することと、
前記能力の前記指示に少なくとも部分的に基づいて、前記移動局上にホストされた少なくとも１つの測位アプリケーションの実行に影響を及ぼす複数のパフォーマンスレベルのうちの１つを選択することと、を備える、方法。
［Ｃ２］
前記１つまたは複数の応答メッセージ中の前記能力の前記指示が、前記１つまたは複数の要求メッセージに応答して前記移動局に与えられた測位支援データのヘッダ中にフラグを備える、Ｃ１に記載の方法。
［Ｃ３］
前記能力の前記指示が、
前記移動局における測位能力を使用可能にするかまたはサポートするための前記ベニューのマップ情報のみの利用可能性および測位支援データの利用不可能性と、
前記移動局における測位能力を使用可能にするかまたはサポートするための前記ベニューのマップ情報および関連するルーティング情報の利用可能性ならびに測位支援データの利用不可能性と、
比較的大きい中央誤差を用いたシングルポイント位置フィックス能力を使用可能にするかまたはサポートするための、測位支援データの利用可能性と、
クラウドソーシングされたアクセスポイント（ＡＰ）ロケーションに少なくとも部分的に基づいて、前記移動局における粗い測位能力を使用可能にするかまたはサポートするための測位支援データの利用可能性と、
前記移動局における追跡能力を用いた測位を使用可能にするかまたはサポートするための測位支援データの利用可能性と、
前記移動局におけるチェックイン能力を用いた測位を使用可能にするかまたはサポートするための測位支援データの利用可能性と、のうちの１つまたは複数を示す、Ｃ１に記載の方法。
［Ｃ４］
複数のパフォーマンスレベルのうちの１つを選択することは、前記サーバからの測位支援データがチェックイン能力をサポートするかまたは使用可能にすることを前記指示が示す場合、チェックイン機能を選択的に使用可能にすること、をさらに備える、Ｃ１に記載の方法。
［Ｃ５］
前記複数のパフォーマンスレベルのいずれかが前記移動局中の電子ハードウェアの動作を少なくとも部分的に決定する、Ｃ１に記載の方法。
［Ｃ６］
前記サーバの前記能力の更新された指示を受信することと、
前記能力の前記更新された指示を前記受信することに応答して前記パフォーマンスレベルのうちの別の１つを再選択することと、をさらに備える、Ｃ１に記載の方法。
［Ｃ７］
前記要求された測位支援データが前記ベニューのマップを備える、Ｃ１に記載の方法。
［Ｃ８］
前記ベニューの前記能力の更新された指示について前記サーバに問い合わせることをさらに備える、Ｃ１に記載の方法。
［Ｃ９］
前記ベニューの前記能力の前記指示に応答してインジケータを表示することをさらに備える、Ｃ１に記載の方法。
［Ｃ１０］
前記要求された測位支援データが、前記ベニューの少なくとも一部分のデジタルマップ、前記ベニュー中の１つまたは複数のアクセスポイントのロケーション、および／または前記ベニューについてのヒートマップデータを備える、Ｃ１に記載の方法。
［Ｃ１１］
前記要求された測位支援データが屋内測位支援データを備える、Ｃ１に記載の方法。
［Ｃ１２］
前記選択されたパフォーマンスレベルに少なくとも部分的に基づいて位置フィックスを決定することをさらに備える、Ｃ１に記載の方法。
［Ｃ１３］
前記能力の前記指示に少なくとも部分的に基づいて位置フィックスを決定することをさらに備える、Ｃ１に記載の方法。
［Ｃ１４］
移動局であって、
通信ネットワークにメッセージを送信し、前記通信ネットワークからメッセージを受信するためのトランシーバと、
前記トランシーバを介したベニューをサービスするサーバへの１つまたは複数の要求メッセージの送信を開始することと、前記１つまたは複数の要求メッセージが測位支援データを要求する、
前記トランシーバにおいて前記サーバから受信された１つまたは複数の応答メッセージを取得することと、前記１つまたは複数の応答メッセージが、少なくとも１つのロケーションベースサービスに関係する前記ベニューの能力の指示を備える、
前記能力の前記指示に少なくとも部分的に基づいて、前記移動局上にホストされた少なくとも１つの測位アプリケーションの実行に影響を及ぼす複数のパフォーマンスレベルのうちの１つを選択することと、を行う１つまたは複数のプロセッサと、
を備える移動局。
［Ｃ１５］
前記能力の前記指示が、
前記移動局における測位能力を使用可能にするかまたはサポートするための前記ベニューのマップ情報のみの利用可能性および測位支援データの利用不可能性と、
前記移動局における測位能力を使用可能にするかまたはサポートするための前記ベニューのマップ情報および関連するルーティング情報の利用可能性ならびに測位支援データの利用不可能性と、
比較的大きい中央誤差を用いたシングルポイント位置フィックス能力を使用可能にするかまたはサポートするための測位支援データの利用可能性と、
クラウドソーシングされたアクセスポイント（ＡＰ）ロケーションに少なくとも部分的に基づいて、前記移動局における粗い測位能力を使用可能にするかまたはサポートするための測位支援データの利用可能性と、
前記移動局における追跡能力を用いた測位を使用可能にするかまたはサポートするための測位支援データの利用可能性と、
前記移動局におけるチェックイン能力を用いた測位を使用可能にするかまたはサポートするための測位支援データの利用可能性と、のうちの１つまたは複数を示す、Ｃ１４に記載の移動局。
［Ｃ１６］
前記１つまたは複数のプロセッサが、
前記サーバから前記サーバの前記能力の更新された指示を取得することと、
前記能力の前記更新された指示を前記受信することに応答して前記パフォーマンスレベルのうちの別の１つを再選択することと、をさらに行うべきである、Ｃ１４に記載の移動局。
［Ｃ１７］
ディスプレイデバイスをさらに備え、ここにおいて、前記１つまたは複数プロセッサが、さらに、前記ベニューの前記能力の前記指示に応答して前記ディスプレイデバイス上でのインジケータのプレゼンテーションを開始すべきである、Ｃ１４に記載の移動局。
［Ｃ１８］
ベニューをサービスするサーバへの１つまたは複数の要求メッセージの送信を開始することと、前記１つまたは複数の要求メッセージが測位支援データを要求する、
前記サーバから受信された１つまたは複数の応答メッセージを取得することと、前記１つまたは複数の応答メッセージが、少なくとも１つのロケーションベースサービスに関係する、前記ベニューの能力の指示を備える、
前記能力の前記指示に少なくとも部分的に基づいて、前記移動局上にホストされた少なくとも１つの測位アプリケーションの実行に影響を及ぼす複数のパフォーマンスレベルのうちの１つを選択することと、を行うように、移動局の１つまたは複数のプロセッサによって実行可能であるその上に記憶された機械可読命令を備える非一時的記憶媒体を備える、物品。
［Ｃ１９］
前記能力の前記指示が、
前記移動局における測位能力を使用可能にするかまたはサポートするための前記ベニューのマップ情報のみの利用可能性および測位支援データの利用不可能性と、
前記移動局における測位能力を使用可能にするかまたはサポートするための前記ベニューのマップ情報および関連するルーティング情報の利用可能性ならびに測位支援データの利用不可能性と、
比較的大きい中央誤差を用いたシングルポイント位置フィックス能力を使用可能にするかまたはサポートするための測位支援データの利用可能性と、
クラウドソーシングされたアクセスポイント（ＡＰ）ロケーションに少なくとも部分的に基づいて、前記移動局における粗い測位能力を使用可能にするかまたはサポートするための測位支援データの利用可能性と、
前記移動局における追跡能力を用いた測位を使用可能にするかまたはサポートするための測位支援データの利用可能性と、
前記移動局におけるチェックイン能力を用いた測位を使用可能にするかまたはサポートするための測位支援データの利用可能性と、のうちの１つまたは複数を示す、Ｃ１８に記載の物品。
［Ｃ２０］
前記命令が、
前記サーバから前記サーバの前記能力の更新された指示を取得することと、
前記能力の前記更新された指示を前記受信することに応答して前記パフォーマンスレベルのうちの別の１つを再選択することと、を行うように前記１つまたは複数のプロセッサによってさらに実行可能である、Ｃ１８に記載の物品。
［Ｃ２１］
前記命令が、
前記ベニューの前記能力の前記指示に応答してディスプレイデバイス上でインジケータを開始表示するように前記１つまたは複数のプロセッサによってさらに実行可能である、Ｃ１８に記載の物品。
［Ｃ２２］
移動局であって、
ベニューをサービスするサーバに１つまたは複数の要求メッセージを送信するための手段と、前記１つまたは複数の要求メッセージが測位支援データを要求する、
前記サーバから、少なくとも１つのロケーションベースサービスに関係する前記ベニューの能力の指示を備える１つまたは複数の応答メッセージを受信するための手段と、
前記能力の前記指示に少なくとも部分的に基づいて、前記移動局上にホストされた少なくとも１つの測位アプリケーションの実行に影響を及ぼす複数のパフォーマンスレベルのうちの１つを選択するための手段と、を備える移動局。
［Ｃ２３］
前記能力の前記指示が、
前記移動局における測位能力を使用可能にするかまたはサポートするための前記ベニューのマップ情報のみの利用可能性および測位支援データの利用不可能性と、
前記移動局における測位能力を使用可能にするかまたはサポートするための前記ベニューのマップ情報および関連するルーティング情報の利用可能性ならびに測位支援データの利用不可能性と、
比較的大きい中央誤差を用いたシングルポイント位置フィックス能力を使用可能にするかまたはサポートするための測位支援データの利用可能性と、
クラウドソーシングされたアクセスポイント（ＡＰ）ロケーションに少なくとも部分的に基づいて、前記移動局における粗い測位能力を使用可能にするかまたはサポートするための測位支援データの利用可能性と、
前記移動局における追跡能力を用いた測位を使用可能にするかまたはサポートするための測位支援データの利用可能性と、
前記移動局におけるチェックイン能力を用いた測位を使用可能にするかまたはサポートするための測位支援データの利用可能性と、のうちの１つまたは複数を示す、Ｃ２２に記載の装置。
［Ｃ２４］
前記サーバの前記能力の更新された指示を受信するための手段と、
前記能力の前記更新された指示を前記受信することに応答して前記パフォーマンスレベルのうちの別の１つを再選択するための手段と、をさらに備える、Ｃ２２に記載の装置。